Podtech/llm-jp-corpus-v4-ja_patent huggingface dataset:
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
オペレータからサービス・クラス要件を獲得すること、
各ストレージ・デバイスのサービス・レベルを分類するためのステップ、
前記各ストレージ・デバイスのサービス・レベルと前記サービス・クラス要件とを比較すること、および、
前記サービス・クラス要件を満たすサービス・レベルを有する１つまたは複数のストレージ・デバイスにデータを格納すること、
を有する、少なくとも２つのストレージ・デバイスからなるストレージ仮想化システムにデータを格納する方法。
【請求項２】
ストレージ・デバイスの前記サービス・レベルに対する変更を検出するための監視ステップと、
前記サービス・レベルが変更された場合、前記ストレージ・デバイスの前記サービス・レベルを再分類するためのステップと、
前記ストレージ・デバイスの前記サービス・レベルと前記サービス・クラス要件とを比較すること、および、
前記再分類されたサービス・レベルが前記サービス・クラス要件を満たさない場合、前記データを、前記ストレージ・デバイスから前記サービス・クラス要件に合致するかまたはこれを超える１つまたは複数の代替ストレージ・デバイスに移動すること、
をさらに有する、請求項１に記載の方法。
【請求項３】
前記データを格納した後、前記オペレータから第２のサービス・クラス要件を獲得すること、
前記データが格納された前記ストレージ・デバイスの前記サービス・レベルと、前記第２のサービス・クラス要件とを比較すること、および
前記データが格納された前記ストレージ・デバイスの前記サービス・レベルが、前記第２のサービス・クラス要件を満たさない場合、前記データを、前記ストレージ・デバイスから、前記第２のサービス・クラス要件を満たす１つまたは複数の代替ストレージ・デバイスに移動すること、
をさらに有する、請求項１に記載の方法。
【請求項４】
前記データを格納した後、前記オペレータから第２のサービス・クラス要件を獲得すること、
前記データが格納された前記ストレージ・デバイスの前記サービス・レベルと、前記第２のサービス・クラス要件とを比較すること、および
前記データが格納された前記ストレージ・デバイスの前記サービス・レベルが、前記第２のサービス・クラス要件を満たさない場合、前記データを、前記ストレージ・デバイスから、前記第２のサービス・クラス要件に合致するかまたはこれを超える１つまたは複数の代替ストレージ・デバイスに移動すること、
をさらに有する、請求項２に記載の方法。
【請求項５】
各ストレージ・デバイスの前記サービス・レベルを分類するためのステップが、
サービス・レベルをストレージ・デバイス・タイプおよび非中断サービス時間に関連付けるデータ構造を提供すること、
各ストレージ・デバイスの前記タイプを決定すること、
各ストレージ・デバイスの前記非中断サービス時間を決定すること、および、
前記データ構造内で、前記決定されたストレージ・デバイスのタイプおよび前記決定された非中断サービス時間と関連付けられたサービス・レベルを割り当てること、
を有する、請求項１に記載の方法。
【請求項６】
さらに前記データ構造が、サービス・レベルとオペレーティング・システムとを関連付け、
各ストレージ・デバイスの前記サービス・レベルを分類するためのステップが、各ストレージ・デバイスの前記オペレーティング・システムを決定することをさらに有し、
前記割り当てるステップが、前記決定されたオペレーティング・システムに関連付けられたサービス・レベルを割り当てることをさらに有する、
請求項５に記載の方法。
【請求項７】
オペレータからサービス・クラス要件を獲得すること、
各ストレージ・デバイスのサービス・レベルを分類するためのステップ、
前記各ストレージ・デバイスのサービス・レベルと前記サービス・クラス要件とを比較すること、および、
前記サービス・クラス要件を満たすサービス・レベルを有する１つまたは複数のストレージ・デバイスにデータを格納すること、
を有する方法を、コンピュータに実施させるための命令によって符号化された、コンピュータ読み取り可能メディア。
【請求項８】
通信メディアと、
少なくとも２つのストレージ・デバイスと、
前記通信メディアを介して前記ストレージ・デバイスに結合されたコンピュータと、
前記コンピュータにロードされるサービス・クラス・マネージャ・プログラムであって、前記コンピュータに、
オペレータからサービス・クラス要件を獲得すること、
各ストレージ・デバイスのサービス・レベルを分類すること、
前記各ストレージ・デバイスの前記サービス・レベルと前記サービス・クラス要件とを比較すること、および、
前記サービス・クラス要件を満たすサービス・レベルを有する１つまたは複数のストレージ・デバイスに前記データを格納すること
を実行させることができるプログラムと、
を備える、ストレージ仮想化システム。
【請求項９】
前記通信メディアがピアツーピア・ネットワークである、請求項８に記載のストレージ仮想化システム。
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
光信号の少なくとも２つのインスタンスを得るために異なる時間に少なくとも２回バーコードを走査する走査工程と、
前記光信号の前記少なくとも２つのインスタンスをデジタル化して少なくとも２つのデジタルデータにするデジタル化工程と、
その少なくとも２つのデジタルデータの両方を用いて出力を生成する出力生成工程と
を有するバーコード検知方法。
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
検索対象の情報アイテムを含む共有可能ピンボードコレクションを作成し、パーソナル化可能情報ネットワークを実現するために用いられるコンピューティングデバイスにより実行される方法であって、
検索対象の語を定義するクエリの指示を受け取るステップと、
複数の検索プロバイダを使用して、前記クエリに基づく検索の条件と一致する情報アイテムの前記検索を実行するステップと、
前記検索を実行し、前記情報アイテムを識別しながら、前記クエリに対応する、前記検索プロバイダにより生成される結果を前記検索プロバイダから受け取るステップと、
情報アイテムの指示を格納するための共有可能なピンボードコレクションを作成するステップと、
前記結果を前記共有可能なピンボードコレクションに追加する指示を受け取るステップと、
前記追加する指示を受け取った前記結果を前記共有可能なピンボードコレクションに追加するステップと、
前記共有可能なピンボードコレクションを受信者と共有させるステップであって、前記共有させるステップは前記作成された共有可能なピンボードコレクションの指示を前記受信者に送信するステップを含むステップと
を備えることを特徴とする方法。
【請求項２】
前記結果を内部形式に変換するステップを含むことを特徴とする請求項１に記載の方法。
【請求項３】
前記共有させるステップは、アクセス特権を示すステップを含むことを特徴とする請求項１に記載の方法。
【請求項４】
ドキュメントに適用する許可を計算するためコンピューティングデバイスにより実行される方法であって、
コレクションおよび前記コレクションに追加すべきドキュメントの指示を受け取るステップにおいて、前記コレクションは、ドキュメントおよび他のコレクションの指示を備えるステップと、
前記ドキュメントに対し明示的に定義された許可と前記コレクションに対し明示的に定義された許可を組み合わせることにより前記ドキュメントに適用すべき許可を計算するステップにおいて、前記組み合わせることは前記ドキュメントに対し明示的に定義された前記許可と前記コレクションに対し明示的に定義された前記許可との間で論理「ＯＲ」演算を実行するステップを含むステップと
を備えることを特徴とする方法。
【請求項５】
前記コレクションと前記ドキュメントとの間の関係は、許可を伝播することを示すことを特徴とする請求項４に記載の方法。
【請求項６】
前記コレクションの態様が変更された場合にコレクションに対する許可を計算するステップを含むことを特徴とする請求項４に記載の方法。
【請求項７】
前記コレクションへの変更を監視するステップと、前記コレクションに対し明示的に定義された許可が変更された場合に、前記コレクションに関連付けられたドキュメントに適用する許可を計算するステップとをさらに備えることを特徴とする請求項４に記載の方法。
【請求項８】
許可は、前記コレクションから前記ドキュメントへ、または前記ドキュメントから前記コレクションへのいずれかに流れることができることを特徴とする請求項４に記載の方法。
【請求項９】
前記コレクションをユーザと共有するステップをさらに備えることを特徴とする請求項４に記載の方法。
【請求項１０】
ユーザ間のコラボレーションを可能にするためにコンピューティングデバイスにより実行される方法であって、
第１のユーザから第２のユーザと共有すべき情報アイテムの指示を受け取るステップであって、前記情報アイテムはピンボードコレクションと関連付けられたステップと、
前記第１のユーザから前記第２のユーザの指示を受け取るステップと、
前記ピンボードコレクションを前記第２のユーザに提供するステップと、
前記第２のユーザに関連付けられたサーバコンピューティングデバイスを判定するステップと、
前記第２のユーザに関連付けられた前記サーバコンピューティングデバイスが前記第１のユーザにも関連付けられていないと判定された場合に、前記指示された情報アイテムを前記判定されたサーバコンピューティングデバイスにレプリケートするステップと
を備えることを特徴とする方法。
【請求項１１】
前記情報アイテムの前記指示は、単一アクションを使用して与えられることを特徴とする請求項１０に記載の方法。
【請求項１２】
前記第２のユーザの前記指示は、単一アクションを使用して与えられることを特徴とする請求項１０に記載の方法。
【請求項１３】
前記第１のユーザにより与えられた検索語に対応する情報アイテムを検索するステップを含むことを特徴とする請求項１０に記載の方法。
【請求項１４】
前記指示された情報アイテムをクライアントコンピューティングデバイスにレプリケートするステップを含むことを特徴とする請求項１０に記載の方法。
【請求項１５】
前記共有情報アイテムは、他の情報アイテムを含むピンボードコレクションに関連付けられ、前記共有情報アイテムに関連付けられている注釈および前記他の情報アイテムは一緒に会話スレッドを定義することを特徴とする請求項１０に記載の方法。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
オンライン会話のコンテンツを利用して広告コンテンツを選択し、表示する方法であって、
インスタント・メッセージング・セッションを含む前記オンライン会話のコンテンツを受け取るステップと、
前記オンライン会話のコンテンツから１つ以上のキーワードを抽出するステップと、
抽出された前記１つ以上のキーワードに基づいて、表示のために前記広告コンテンツを選択するステップと、
前記オンライン会話のコンテンツに関連して選択された前記広告コンテンツを出力するステップと、
を備える方法。
【請求項２】
前記オンライン会話のコンテンツに関連して選択された前記広告コンテンツを表示するステップを更に備える、請求項１に記載の方法。
【請求項３】
ユーザー・プロフィール及び／又はユーザーの挙動に関する情報を受け取るステップを更に備え、表示のために前記広告コンテンツを選択するステップが、抽出された前記１つ以上のキーワードと前記ユーザー・プロフィールとユーザーの挙動に関する前記情報と履歴クリックスルー率と貨幣化値とのうちの少なくとも１つに基づいて前記広告コンテンツを選択して表示するステップを更に備える、請求項１に記載の方法。
【請求項４】
抽出された前記１つ以上のキーワードを１つ以上の広告キーワードと比較するステップを更に備え、表示のために前記広告コンテンツを選択するステップが、前記１つ以上のキーワードと前記１つ以上の広告キーワードとの比較に基づいて前記広告コンテンツを選択して表示するステップを備える、請求項１に記載の方法。
【請求項５】
抽出された前記１つ以上のキーワードのスコアを付けるステップを更に備え、表示のために前記広告コンテンツを選択するステップが、スコア付けされた前記１つ以上のキーワードに基づいて前記広告コンテンツを選択して表示するステップを備える、請求項１に記載の方法。
【請求項６】
スコア付けされた前記１つ以上のキーワードの中から任意のユーザー意図キーワードを識別するステップを更に備え、ユーザー意図キーワードが、特定の話題に対するユーザーの興味を識別して所定のトリガ語に従う、請求項５に記載の方法。
【請求項７】
任意のユーザー意図キーワードが識別された場合に、識別された前記ユーザー意図キーワードにしたがって、スコア付けされた前記１つ以上のキーワードを再加重するステップを更に備える、請求項６に記載の方法。
【請求項８】
話題の変更が発生したか否かを決定するステップを更に備える、請求項５に記載の方法。
【請求項９】
話題の変更が発生したと決定された場合に、履歴データに基づいて、スコア付けされた前記１つ以上のキーワードを再加重するステップを更に備える、請求項８に記載の方法。
【請求項１０】
請求項１に記載されたステップを実行するコンピュータ・プログラム。
【請求項１１】
オンライン会話のコンテンツを利用して関連情報を選択し、表示する方法であって、
インスタント・メッセージング・セッションを含む前記オンライン会話のコンテンツを受け取るステップと、
前記オンライン会話のコンテンツから１つ以上のキーワードを抽出するステップと、
抽出された前記１つ以上のキーワードのスコアを付けるステップと、
スコア付けされた前記１つ以上のキーワードの中から任意のユーザー意図キーワードを識別するステップであって、ユーザー意図キーワードが、特定の話題に対するユーザーの興味を識別して所定のトリガ語に従うステップと、
任意のユーザー意図キーワードが識別された場合に、識別された前記ユーザー意図キーワードにしたがって、スコア付けされた前記１つ以上のキーワードを再加重するステップと、
再加重されスコア付けされた前記１つ以上のキーワードに基づいて前記関連情報を選択して表示するステップと、
前記オンライン会話のコンテンツに関連して選択された前記関連情報を表示するステップと、
を備える方法。
【請求項１２】
ユーザー・プロフィール及び／又はユーザーの挙動に関する情報を受け取るステップを更に備え、表示のために前記関連情報を選択するステップが、抽出された前記１つ以上のキーワードと前記ユーザー・プロフィールとユーザーの挙動に関する前記情報とのうちの少なくとも１つに基づいて前記関連情報を選択して表示するステップを更に備える、請求項１１に記載の方法。
【請求項１３】
抽出された前記１つ以上のキーワードを１つ以上の情報キーワードと比較するステップを更に備え、表示のために前記関連情報を選択するステップが、前記１つ以上のキーワードと前記１つ以上の情報キーワードとの比較に基づいて前記関連情報を選択して表示するステップを備える、請求項１１に記載の方法。
【請求項１４】
話題の変更が発生したか否かを決定するステップを更に備える、請求項１３に記載の方法。
【請求項１５】
話題の変更が発生したと決定された場合に、履歴データに基づいて、スコア付けされた前記１つ以上のキーワードを再加重するステップを更に備える、請求項１４に記載の方法。
【請求項１６】
インスタント・メッセージング・セッションを含むオンライン会話の第１のコンテンツを受け取るステップと、
前記第１のコンテンツの前にユーザーによって提供される。前記オンライン会話の第２のコンテンツを受け取るステップと、
前記オンライン会話の前記第１のコンテンツと前記オンライン会話の前記第２のコンテンツとの間の類似度を決定して、前記オンライン会話の前記第１のコンテンツと前記第２のコンテンツとの間の話題変更を検知するステップであって、前記類似度が、１つ以上の閾値と比較された混合話題関連性スコアに基づいているステップと、
前記オンライン会話の前記第１のコンテンツと前記オンライン会話の前記第２のコンテンツとの間の類似度に基づいて、前記オンライン会話の前記第１のコンテンツから、又は、前記オンライン会話の前記第１のコンテンツと前記第２のコンテンツとの組み合わせから１つ以上のキーワードを選択して、広告コンテンツと他の関連情報とのうちの少なくとも１つの選択に利用するステップと、
選択された前記１つ以上のキーワードに基づいて、表示のために、広告コンテンツと他の関連情報とのうちの少なくとも１つを検索するステップと、
検索された前記の広告コンテンツと他の関連情報とのうちの少なくとも１つを表示するステップと
を備える方法を実行するためのコンピュータ実行可能な命令を有する１つ以上のコンピュータ読み取り媒体。
【手続補正書】
【提出日】平成21年4月22日(2009.4.22)
【手続補正１】
【補正対象書類名】特許請求の範囲
【補正対象項目名】請求項１
【補正方法】変更
【補正の内容】
【請求項１】
テレコミュニケーション・ネットワークのレジストレーション・ユニットにレジストレーションしたクライアントであって、このクライアントのレジストレーションを維持するために、１つまたはそれ以上の再登録メッセージを前記レジストレーション・ユニットに送信することが要求されるクライアントのために、前記テレコミュニケーション・ネットワークに接続されたアプリケーション・サーバにおいてクライアント関連情報を処理する方法であって、
前記アプリケーション・サーバによって実行されるステップとして、
前記再登録メッセージを用いてレジストレーションを維持されるクライアントであって、前記アプリケーション・サーバにおいてクライアント状態をアクティブにされる該クライアントからのメッセージを受信するステップと、
前記レジストレーション・ユニットによって取り扱われるレジストレーション・イベントであって、前記クライアントのレジストレーションが変更されることになるイベントをモニターするステップと、
前記クライアント・レジストレーションが変更されるときのイベントに対する、前記レジストレーション・ユニットからの前記クライアントに関するレジストレーション・イベント通知を受信するステップと、
前記受信したレジストレーション・イベント通知に応じて、前記クライアント状態をアップデートするステップと
を含むことを特徴とする方法。
【手続補正２】
【補正対象書類名】特許請求の範囲
【補正対象項目名】請求項１５
【補正方法】変更
【補正の内容】
【請求項１５】
テレコミュニケーション・ネットワークのレジストレーション・ユニットにレジストレーションしたクライアントであって、このクライアント・レジストレーションを維持するために、１つまたはそれ以上の再登録メッセージを前記レジストレーション・ユニットに送信することが要求されるクライアントのために、前記テレコミュニケーション・ネットワークに接続されたアプリケーション・サーバにおいてクライアント関連情報を処理する装置であって、
前記再登録メッセージを用いてレジストレーションを維持されるクライアントであって、前記アプリケーション・サーバにおいてクライアント状態をアクティブにされる該クライアントからのメッセージを受信する手段と、
前記レジストレーション・ユニットによって取り扱われるレジストレーション・イベントであって、前記クライアントのレジストレーションが変更されることになるイベントをモニターする手段と、
前記クライアント・レジストレーションが変更されることになるイベントに対する、前記レジストレーション・ユニットからの前記クライアントに関するレジストレーション・イベント通知を受信する手段と、
前記受信したレジストレーション・イベント通知に応じて、前記クライアント状態をアップデートする手段と
を含む装置。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
緊急通報をルーティングする方法であって、前記通報は前記通報の伝送経路の２またはそれ以上のノードを連続的に通過し、そして、前記２またはそれ以上のノードのいずれかは、通過した前記ノードの一意の識別子を前記通報に埋め込むよう動作するものであり、前記方法は、
マップされたノードに到達する通報を取り扱うよう確立された緊急呼び出しセンタ（ＰＳＡＰ）へ前記ノードの一意の識別子をマップすることができるデータベースを準備する工程と、
緊急通報を受信する工程と、
前記緊急通報の発信元に最も近いノードの識別子から始まり、データベースにおけるＰＳＡＰへのマッピングを有するノード識別子を見出すまで、前記ノードの識別子を連続的に評価する工程と、
ＰＳＡＰへのマッピングを有するノードを前記通報のエンドノードとして選択する工程と、
前記緊急通報を前記選択されたエンドノードに関連する緊急呼び出しセンタにルーティングする工程と、
を含むことを特徴とする方法。
【請求項２】
前記緊急通報を前記選択されたエンドノードに関連する緊急呼び出しセンタにルーティングする工程が、適切な緊急呼び出しセンタを判定するために、前記エンドノードに関連する一意の識別子を使用してルックアップテーブルにアクセスすることを特徴とする請求項１に記載の方法。
【請求項３】
エンドノードに関連する一意の識別子と適切な緊急呼び出しセンタとを相関させる情報を有するルックアップテーブルを維持する工程をさらに含むことを特徴とする請求項２に記載の方法。
【請求項４】
前記緊急通報を前記選択されたエンドノードに関連する緊急呼び出しセンタにルーティングする工程はさらに、適切な緊急呼び出しセンタを判定するために、前記エンドノードに関連する一意の識別子を使用してマップにアクセスすることを特徴とする請求項１に記載の方法。
【請求項５】
エンドノードに関連する一意の識別子と適切な緊急呼び出しセンタとを相関させる情報を有する前記マップを維持する工程をさらに含むことを特徴とする請求項４に記載の方法。
【請求項６】
緊急通報をルーティングする方法であって、
緊急通報を受信する工程と、
前記緊急通報をするモバイルデバイスに関連する第１及び第２のノードを識別する工程とを含み、前記第１のノードはさらにエンドノードとして識別され、さらに、
緊急呼び出しセンタが前記第１のノードに関連していないとの決定に応動して、前記通報と関連する第２のノードをエンドノードとして識別する工程と、
前記緊急通報を、前記エンドノードに関連する緊急呼び出しセンタにルーティングする工程と、
を含むことを特徴とする方法。
【請求項７】
前記通報と関連する第２のノードをエンドノードとして識別する工程はさらに、前記通報と関連する前記第１のノードと関連する一意の識別子を受信することを特徴とする請求項６に記載の方法。
【請求項８】
前記通報と関連する第２のノードをエンドノードとして識別する工程はさらに、前記緊急通報の発信元に最も近いノードをエンドノードとして選択することを特徴とする請求項６に記載の方法。
【手続補正２】
【補正対象書類名】明細書
【補正対象項目名】００３０
【補正方法】変更
【補正の内容】
【００３０】
【図１Ａ】本発明が配備され得る例示的通信システムのブロック図である。
【図１Ｂ】本発明が配備され得る例示的通信システムのブロック図である。
【図２】緊急Ｅ９１１通報をルーティングする制御方式の様式的な流れ図である。
【図３】図２の制御方式によって利用されることができるルックアップ・テーブルの様式的な図である。
【図４】緊急９１１通報のルーティングを制御するために遂行され得る制御方式の他の実施例の流れ図である。
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
データベースのセキュリティおよび管理を容易にするために構成された処理装置とメモリとの両方を備えるシステムであって、
オブジェクト間に階層関係を有する複数の前記オブジェクトを格納するデータベースコンポーネントと、
１つまたは複数のセキュリティゾーンを定義し、前記セキュリティゾーンは、前記オブジェクト間の前記階層関係から独立しているリージョンコンポーネントと、
１つまたは複数の前記オブジェクトと１つまたは複数のセキュリティゾーンとを関連付けるマッピングテーブルと
を備えることを特徴とするシステム。
【請求項２】
前記リージョンコンポーネントは、オブジェクトドメインからセキュリティドメインへの変換を行うことを特徴とする請求項１に記載のシステム。
【請求項３】
前記リージョンコンポーネントは、前記セキュリティゾーンのうちの少なくとも１つを定義する少なくとも１つのセキュリティディスクリプタを含むことを特徴とする請求項２に記載のシステム。
【請求項４】
前記リージョンコンポーネントは、前記セキュリティドメイン内のリージョン間の継承セキュリティをサポートすることを特徴とする請求項２に記載のシステム。
【請求項５】
前記リージョンコンポーネントは、セキュリティ変更の分析に基づいてセキュリティゾーンの展開またはセキュリティゾーンの折り畳みをサポートすることを特徴とする請求項１に記載のシステム。
【請求項６】
前記リージョンコンポーネントは、検出されたセキュリティ変更に基づき少なくとも３つのリージョンによりセキュリティリージョンを展開することを特徴とする請求項５に記載のシステム。
【請求項７】
前記セキュリティ変更は、アクセス制御エントリ（ＡＣＥ）により検出されることを特徴とする請求項６に記載のシステム。
【請求項８】
前記アクセス制御エントリは、明示的な、または暗黙のセキュリティ変更を表すことを特徴とする請求項７に記載のシステム。
【請求項９】
さらに、ルートノード、子ノード、コンテナアイテム、および非コンテナアイテムのうちの少なくとも１つを含むことを特徴とする請求項１に記載のシステム。
【請求項１０】
さらに、前記セキュリティゾーンの間でセキュリティ変更を伝播するコンポーネントを備えることを特徴とする請求項１に記載のシステム。
【請求項１１】
さらに、前記リージョンコンポーネントまたは前記データベースを対話操作するための少なくとも１つのインターフェースを備えることを特徴とする請求項１に記載のシステム。
【請求項１２】
前記インターフェースは、セキュリティ取得関数、ディスクリプタ取得関数、セキュリティ設定関数、保持リンク追加関数、保持リンク削除関数、および実効セキュリティ取得関数を含むことを特徴とする請求項１１に記載のシステム。
【請求項１３】
さらに、セキュリティドメイン内でセキュリティオブジェクト関係を定義するセキュリティ階層行を含むことを特徴とする請求項１に記載のシステム。
【請求項１４】
請求項１に記載の前記コンポーネントを実装するためのコンピュータ可読可能命令を格納することを特徴とするコンピュータ可読媒体。
【請求項１５】
オブジェクトデータベースセキュリティのための方法であって、
オブジェクトドメイン内でデータベースオブジェクトを定義することと、
セキュリティドメイン内でセキュリティコンポーネントを定義することと、
データベースオブジェクトとセキュリティコンポーネントとを関連付けるマッピングテーブルを提供することと、
前記対応付けを使用して、前記データベースオブジェクトのセキュリティリージョンを定義することとを含むことを特徴とする方法。
【請求項１６】
さらに、前記セキュリティドメイン内の変更を検出した後、少なくとも３つのセキュリティリージョンを生成することを含むことを特徴とする請求項１５に記載の方法。
【請求項１７】
データベースオブジェクトセキュリティを容易にするシステムであって、
データベースオブジェクトを格納する手段と、
前記オブジェクトについてセキュリティリージョンを設定する手段と、
前記データベースオブジェクトと前記セキュリティリージョンとを関連付ける手段と、
前記セキュリティリージョンを前記オブジェクトに対応付ける手段と、
前記セキュリティリージョンに少なくとも一部は基づき前記オブジェクトにアクセスする手段とを備えることを特徴とするシステム。
【請求項１８】
オブジェクトデータベースセキュリティのための方法であって、
オブジェクトドメイン内でデータベースオブジェクトを定義することと、
セキュリティドメイン内でセキュリティコンポーネントを定義することと、
前記オブジェクトドメインとセキュリティドメインとの間の関連付けを提供することと、
前記対応付けを使用して、前記データベースオブジェクトのセキュリティリージョンを定義することと、
前記セキュリティドメイン内の検出された変更に基づき少なくとも３つのセキュリティリージョンを生成することであって、前記セキュリティリージョンは、ルートノード、子ノード、コンテナアイテム、および非コンテナアイテムのうちの少なくとも１つであることと、
前記セキュリティドメイン内の前記セキュリティコンポーネントのための階層機構を提供することと、
前記セキュリティコンポーネント又はデータベースオブジェクトと相互作用するための少なくとも１つのインターフェースを提供することであって、前記インターフェースは、セキュリティ取得関数、ディスクリプタ取得関数、セキュリティ設定関数、保持リンク追加関数、保持リンク削除関数、および実効セキュリティ取得関数を含むことと
を含むことを特徴とする方法。
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
光線を受けるために配置される回転可能中空シャフトを有するモーターと、
前記モーターに取り付けられる回転アセンブリであり、該回転アセンブリが前記モーターの前記中空シャフトに結合される回転可能光学シャフトを含み、前記回転可能光学シャフトが前記モーターの前記中空シャフトと一緒に回転する、回転アセンブリと、
前記光学シャフトの中に配置される反射器と、
を含み、
前記モーターの前記中空シャフトによって受け取られる前記光線が前記回転可能光学シャフトを通過して、前記反射器に衝突して、前記光学シャフトの側壁を通り抜けるように導かれることを特徴とする照明装置。
【請求項２】
さらに、前記モーターに結合されるベースを含み、前記ベースが前記光線を発する光源を収容することを特徴とする、請求項１に記載の照明装置。
【請求項３】
前記光源がＬＥＤのリング体であることを特徴とする、請求項２に記載の照明装置。
【請求項４】
さらに前記ＬＥＤのリング体の中心に配置される視準光学要素を含むことを特徴とする、請求項３に記載の照明装置。
【請求項５】
前記視準光学要素が円錐形反射器であることを特徴とする、請求項４に記載の照明装置。
【請求項６】
さらに前記回転アセンブリを覆うドームを含むことを特徴とする、請求項１に記載の照明装置。
【請求項７】
前記ドームが実質的に透明の材料で作られかつその一部を被覆する不透明の覆いを含むことを特徴とする、請求項６に記載の照明装置。
【請求項８】
さらにベースを含み、前記ベースが、
ハウジングと、
前記ハウジングの内周に沿って配置されるＬＥＤ配列体と、
前記ハウジングの中心に配置されるビーム指向性オプティックスと、
を含むことを特徴とする、請求項１に記載の照明装置。
【請求項９】
前記光学シャフトが中空でありかつ前記光学シャフトの側壁に形成されるウィンドウを有することを特徴とする、請求項１に記載の照明装置。
【請求項１０】
前記光学シャフトが中実で透明のアクリルロッドであることを特徴とする、請求項１に記載の照明装置。
【請求項１１】
前記モーターが約３，０００ｒｐｍから約１０，０００ｒｐｍまでの範囲の速度で中空シャフトを回転させることを特徴とする、請求項１に記載の照明装置。
【請求項１２】
前記ＬＥＤ配列体が各ＬＥＤ用の固有の取付けポジションを有するリング体によって構成されることを特徴とする、請求項８に記載の照明装置。
【請求項１３】
前記回転可能光学シャフトが中空であることを特徴とする、請求項１に記載の照明装置。
【請求項１４】
前記回転可能光学シャフトが中実の透明な材料で作られることを特徴とする、請求項１に記載の照明装置。
【請求項１５】
さらにベースを含み、前記ベースが、
ハウジングと、
前記ハウジングの上面に配置されるＬＥＤ配列体であり、該装置において、前記ＬＥＤ配列体がその照明を前記ハウジングの底へ向ける、ＬＥＤ配列体と、
前記ハウジングの床に配置される集光器と、
を含むことを特徴とする、請求項１に記載の照明装置。
【請求項１６】
前記集光器が反射性のパラボラディッシュであることを特徴とする、請求項１５に記載の照明装置。
【請求項１７】
前記光学シャフトが光透過性であることを特徴とする、請求項１に記載の照明装置。
【請求項１８】
光線を受けるために配置される回転可能中空シャフトを有するモーターと、
前記モーターに取り付けられる回転アセンブリであり、該回転アセンブリが前記モーターの前記中空シャフトに結合される回転可能光学シャフトを含み、前記光学シャフトが前記モーターの前記中空シャフトと一緒に回転する、回転アセンブリと、
前記回転可能光学シャフトに配置される一次オプティックスと、
を含み、
前記モーターの前記中空シャフトによって受け取られる前記光線が前記回転可能光学シャフトを通過して、前記一次オプティックスに衝突して、前記回転光学シャフトの側壁を通り抜けるように導かれることを特徴とする照明装置。
【請求項１９】
前記一次オプティックスが反射器であることを特徴とする、請求項１８に記載の照明装置。
【請求項２０】
前記一次オプティックスが斜めに２つの部分に切断された中実の透明なアクリルロッドのピースによって構成され、かつ斜めの切断面に反射性コーティングが施されかつその部分が前記中実の透明なアクリルロッドの残り部分に接着されることを特徴とする、請求項１８に記載の照明装置。
【請求項２１】
前記光学シャフトが光透過性であることを特徴とする、請求項１８に記載の照明装置。
【手続補正書】
【提出日】平成21年4月23日(2009.4.23)
【手続補正１】
【補正対象書類名】明細書
【補正対象項目名】００２８
【補正方法】変更
【補正の内容】
【００２８】
こうして得られた粉末１ｇ並びに噴霧乾燥によって得たLa0.65Sr0.3MnO3ペロブスカイト材料を一緒に粉砕する。こうして複合粉末が得られる。この複合粉末を、テルピネオール中のエチルセルロースの溶液（６重量％）２ｇと混合し、そして均一なペーストが得られるまでスリーローラーミル中で粉砕する。例えば７３μｍの初期厚のこのペーストの薄いフィルムを、電解質（例えば８ＹＳＺからなる焼結された平坦な電解質）の上面に、例えばスクリーン印刷法により塗工する。このフィルムを６０℃で８時間乾燥する。このフィルムを、電解質と一緒に及び有利には更にその上に塗工されたアノード材料と一緒に９２０℃で３時間か焼する。温度は、最終温度に達するまで１分間あたり３℃の率で高め、そして最後に１分間当たり５℃で再び冷却する。
【手続補正２】
【補正対象書類名】明細書
【補正対象項目名】００３２
【補正方法】変更
【補正の内容】
【００３２】
次いで、ハーフトーン印刷用ペーストを以下に記載のようにこのＹＳＺ２から調製する。１ｇのＹＳＺ２、並びに噴霧乾燥によって得られたLa0.65Sr0.3MnO3ペロブスカイト材料を一緒に粉砕する。こうして複合粉末が得られる。この複合粉末を、テルピネオール中のエチルセルロースの溶液（６重量％）２ｇと混合し、そしてスリーローラーミル中で、均一なペーストが得られるまで粉砕する。例えば７３μｍの初期厚を有するこのペーストの薄いフィルムを、電解質（例えば、８ＹＳＺからなる焼結された平坦な電解質）の上面に、例えばスクリーン印刷法によって塗工する。このフィルムを８時間、６０℃で乾燥する。このフィルムを、電解質（例えば８ＹＳＺからなる電解質）、及び有利には更にその上に塗工されたアノード材料（例えば８ＹＳＺ／ＮｉＯからなるアノード材料）と一緒に、９２０℃の温度において３時間か焼する。温度は、最終温度に達するまで１分間あたり３℃の率で高め、そして最後に１分間当たり５℃の率で冷却する。燃料電池がこうして得られる。
【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
（Ａ）沸点＞９０℃を有する液体の抗トリーイング剤；及び
（Ｂ）（Ａ）と異なると共に低密度ポリエチレンにおいて５０℃で少なくとも約１×１０−７ｃｍ２／秒の拡散係数を有する化合物であって、水に反応性の化合物又は水に反応性の抗トリーイング剤より選択された化合物（Ｂ）；
：を含む、液の混合物において、
（Ａ）及び（Ｂ）は、沸点≧９０℃を備えた液の混合物を得るための量で存在するものである、混合物。
【請求項２】
請求項１に記載の混合物において、
前記液の混合物は、拡散係数≧フェニルメチルジメトキシシランのものを有する、混合物。
【請求項３】
請求項１又は２に記載の混合物において、
前記化合物（Ｂ）は、トリアルキルアルコキシシラン、ジアルキルジアルコキシシラン、及びそれらの混合物の群より選択される、混合物。
【請求項４】
請求項１乃至３のいずれかに記載の混合物において、
前記液体の抗トリーイング剤（Ａ）は、フェニルトリメトキシシラン、ジフェニルジメトキシシラン、フェニルメチルジエトキシシラン、及びフェニルメチルジメトキシシラン、並びにそれらの混合物の群より選択された有機アルコキシシランである、混合物。
【請求項５】
請求項１乃至３のいずれかに記載の混合物において、
前記液体の抗トリーイング剤（Ａ）は、芳香族ケトン、脂肪族アルコール、有機アルコキシシラン、及びそれらの混合物の群より選択される、混合物。
【請求項６】
液の混合物とケーブルの内部を接触させるための方法において、
前記ケーブルは、重合体の絶縁体においてケースに入れられた中央のより線の導体を有すると共に前記導体の領域において割り込みのボイド空間を有すると共に、
前記方法は、
（Ａ）沸点＞９０℃を有する液体の抗トリーイング剤；及び
（Ｂ）（Ａ）と異なると共に低密度ポリエチレンにおいて５０℃で少なくとも約１×１０−７ｃｍ２／秒の拡散係数を有する化合物であって、水に反応性の化合物又は水に反応性の抗トリーイング剤より選択された化合物（Ｂ）；
：を含む液の混合物を前記割り込みのボイド空間に供給することを含むと共に、
（Ａ）及び（Ｂ）は、沸点≧９０℃を備えた液の混合物を得るための量で存在するものである、方法。
【請求項７】
請求項６に記載の方法において、
前記液の混合物は、拡散係数≧５．９×１０−８ｃｍ２／秒を有する、方法。
【手続補正２】
【補正対象書類名】明細書
【補正対象項目名】００３３
【補正方法】変更
【補正の内容】
【００３３】
このように、先行技術（Ｃ１−１）でＴＭＭの水準を低減することは、１００％のＰｈＭｅ（Ｃ１−３）よりも高い拡散速度を維持する一方で、シランのブレンド（１−１）の沸点を上昇させる。
［付記］
［付記（１）］：
（Ａ）液体の抗トリーイング剤；及び
（Ｂ）水に反応性の化合物又は水に反応性の抗トリーイング剤より選択された化合物（Ｂ）；
：を含む、液の混合物において、
（Ａ）及び（Ｂ）は、沸点≧９０℃を備えた液の混合物を得るための量で存在するものである、混合物。
［付記（２）］：
付記（１）に記載の混合物において、
前記液の混合物は、前記液体の抗トリーイング剤のものと比べて≧の拡散係数を有する、混合物。
［付記（３）］：
付記（１）に記載の混合物において、
前記化合物（Ｂ）は、トリアルキルアルコキシシラン、ジアルキルジアルコキシシラン、及びそれらの混合物の群より選択される、混合物。
［付記（４）］：
付記（１）に記載の混合物において、
前記液体の抗トリーイング剤（Ａ）は、フェニルメチルジメトキシシランである、混合物。
［付記（５）］：
付記（１）に記載の混合物において、
前記液体の抗トリーイング剤（Ａ）は、芳香族ケトン、脂肪族アルコール、有機アルコキシシラン、及びそれらの混合物の群より選択される、混合物。
［付記（６）］：
付記（１）に記載の混合物において、
前記液体の抗トリーイング剤（Ａ）は、フェニルトリメトキシシラン、ジフェニルジメトキシシラン、フェニルメチルジエトキシシラン、及びフェニルメチルジメトキシシラン、並びにそれらの混合物の群より選択された有機アルコキシシランである、混合物。
［付記（７）］：
付記（１）に記載の混合物において、
（Ａ）及び（Ｂ）は、（Ａ）／（Ｂ）で９９．９／０．１から９０．１／９．９までの重量比で存在するものである、混合物。
［付記（８）］：
付記（１）に記載の混合物において、
前記液の混合物の重量で１００部に基礎が置かれた、（Ａ）は、重量で約９５部において存在するものであると共に（Ｂ）は、重量で約５部において存在するものである、混合物。
［付記（９）］：
液の混合物とケーブルの内部を接触させることの方法において、
前記ケーブルは、重合体の絶縁体においてケースに入れられた中央のより線の導体を有すると共に前記導体の領域において割り込みのボイド空間を有すると共に、
前記の方法は、沸点≧９０℃を備えた液の混合物を得るために（Ａ）液体の抗トリーイング剤及び（Ｂ）水に反応性の化合物又は水に反応性の抗トリーイング剤を含む液の混合物を前記割り込みのボイド空間に供給することを含む、方法。
［付記（１０）］：
付記（９）に記載の方法において、
前記液の混合物は、前記液体の抗トリーイング剤（Ａ）のものと比べて≧の拡散係数を有する、方法。
［付記（１１）］：
付記（９）に記載の方法において、
前記拡散係数は、フェニルメチルジメトキシシランのものと比べて≧である、方法。
［付記（１２）］：
付記（９）に記載の方法において、
前記化合物（Ｂ）は、トリアルキルアルコキシシラン、ジアルキルジアルコキシシラン、及びそれらの混合物の群より選択される、方法。
［付記（１３）］：
付記（９）に記載の方法において、
前記液体の抗トリーイング剤は、フェニルメチルジメトキシシランである、方法。
［付記（１４）］：
付記（９）に記載の方法において、
前記液体の抗トリーイング剤（Ａ）は、芳香族ケトン、脂肪族アルコール、有機アルコキシシラン、及びそれらの混合物の群より選択される、方法。
［付記（１５）］：
付記（９）に記載の方法において、
前記液体の抗トリーイング剤（Ａ）は、フェニルトリメトキシシラン、ジフェニルジメトキシシラン、フェニルメチルジエトキシシラン、及びフェニルメチルジメトキシシラン、並びにそれらの混合物の群より選択された有機アルコキシシランである、方法。
［付記（１６）］：
付記（９）に記載の方法において、
（Ａ）及び（Ｂ）は、（Ａ）／（Ｂ）で９９．９／０．１から９０．１／９．９までの重量比で存在するものである、方法。
［付記（１７）］：
付記（９）に記載の方法において、
前記液の混合物の重量で１００部に基礎が置かれた、（Ａ）は、重量で約９５部において存在するものであると共に（Ｂ）は、重量で約５部において存在するものである、方法。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
電子トレーディングを管理するシステムであって、
取引所を管理するよう動作可能なトレーディング・プラットフォームと、
通信するよう前記トレーディング・プラットフォームに結合され、
取引所に向けた特定の商品に対するトレーディング注文を特定のトレーダーから受け取る機能であって、関連した価格を前記トレーディング注文が有する機能と、
前記トレーディング注文を処理するための特定の分散パラメータ組を複数の事前構成分散パラメータ組から識別する機能と、
少なくとも、前記トレーディング注文価格、及び前記トレーディング注文に関連した前記識別された分散パラメータ組に基づいた複数の価格レベルに分散させた分散トレーディング注文群を自動的に生成する機能と、
前記生成された分散トレーディング注文群を前記取引所に自動的に送る機能とを行うよう動作可能な注文分散アプリケーションとを備えるシステム。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
集積回路であって、
不揮発性メモリ・セルのアレイであって、前記アレイの各メモリ・セルは、制御ゲートと、ソースと、ドレインと、第１井戸端子と、第２井戸端子とを有する不揮発性メモリ・セルのアレイと、
不揮発性メモリ・セルの前記アレイの消去動作の後に消去されるメモリ・セルの前記制御ゲートと、前記ソースと、前記ドレインと、前記第１井戸端子と、前記第２井戸端子とから消去電圧の放電を制御する放電速度制御回路であって、前記放電速度制御回路は不揮発性メモリ・セルの前記アレイと電源端子との間に結合される複数の並列に接続されるトランジスタを備える、放電速度制御回路と
を備える集積回路。
【請求項２】
複数の端子を有する不揮発性メモリ・セルに印加される消去電圧の放電速度を制御するための方法であって、
前記複数の端子の一つ以上の端子間に結合される複数の並列に接続されたトランジスタを提供すること、
前記消去電圧を前記不揮発性メモリ・セルに印加することにより前記不揮発性メモリ・セルを消去すること、
第１時間に第１放電速度で前記複数の並列に接続されるトランジスタの一つ以上のトランジスタを介して消去電圧を放電すること、
第２時間に第２放電速度で前記複数の並列に接続されるトランジスタの一つ以上のトランジスタを介して消去電圧を放電することを備え、前記第２放電速度は前記第１放電速度よりも速く、且つ前記第２時間は前記第１時間に続く、
方法。
【請求項３】
集積回路であって、
不揮発性メモリ・セルのアレイであって、前記アレイの各メモリ・セルは電荷格納領域と、制御ゲートと、ドレインと、ソースとを含む複数の端子とを有する不揮発性メモリ・セルのアレイと、
消去されるメモリ・セルの前記制御ゲートと前記ドレインと前記ソースとの放電速度を制御するための放電速度制御回路であって、
基準電流を提供する基準電流生成器と、
前記基準電流生成器に結合され、前記消去動作の後に前記制御ゲートと前記ドレインと前記ソースとを放電するための第１の所定の放電電流を提供するための第１電流ミラーと
を備える前記放電速度制御回路と
を備える集積回路。
【請求項４】
集積回路であって、
不揮発性メモリ・セルのアレイであって、前記アレイの各メモリ・セルは、制御ゲートと、ソースと、ドレインと、第１井戸端子と、第２井戸端子とを有する不揮発性メモリ・セルのアレイと、
不揮発性メモリ・セルの前記アレイの消去動作の後に消去されるメモリ・セルの、前記制御ゲートと、前記ソースと、前記ドレインと、前記第１井戸端子と、前記第２井戸端子とから消去電圧の放電を制御する放電速度制御回路と
を備える集積回路。
【請求項５】
不揮発性メモリ・セルに印加される消去電圧の放電速度を制御するための方法であって、前記不揮発性メモリ・セルは複数の端子を有し、
基準電流を提供すること、
前記基準電流をミラーリングして第１の所定の時間に第１放電速度で前記複数の端子の第１端子を放電するために第１のミラーリングされた電流を提供すること、
前記基準電流をミラーリングして第２の所定の時間に第２放電速度で前記複数の端子の第２端子を放電するために第２のミラーリングされた電流を提供すること、
を備える方法。
【手続補正書】
【提出日】平成21年4月27日(2009.4.27)
【手続補正１】
【補正対象書類名】特許請求の範囲
【補正対象項目名】請求項４
【補正方法】変更
【補正の内容】
【請求項４】
０．２１＜ＰＰＮ−ｉ＜０．５２であることを特徴とする請求項１、２又は３に記載の光データ記憶媒体。
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
透明基板と、
該基板を通して光を放射するエレクトロルミネッセンス層構造体と、
前記基板とエレクトロルミネッセンス層構造体との間に配置され、前記基板に光が入射したとき該光を不均一な角度分布にする第１の光取り出し層と、
前記光の伝搬方向における前記基板の上方に設けられ、前記光の不均一な角度分布に適合し前記エレクトロルミネッセンス光源からの効果的な光取り出しを可能にする表面構造を備えている第２の光取り出し層とを備えている、
ことを特徴とするエレクトロルミネッセンス光源。
【請求項２】
前記不均一な角度分布が最大値を有し、
前記最大値を中心とした±15°の角度範囲に、７０％を越える光、好ましくは８０％を越える光、さらに好ましくは９０％を越える光が含まれる、
請求項１に記載のエレクトロルミネッセンス光源。
【請求項３】
前記不均一な角度分布の最大値が、４５°より大きい角度、好ましくは６０°より大きい角度、さらに好ましくは７５°より大きい角度である、
請求項１又は２に記載のエレクトロルミネッセンス光源。
【請求項４】
前記第１の光取り出し層の厚さＨ２が、１００ｎｍないし１０μｍである、
請求項１ないし３のいずれか１項に記載のエレクトロルミネッセンス光源。
【請求項５】
前記第１の光取り出し層が、少なくとも第１材料と第２の材料を含む、
請求項１ないし４のいずれか１項に記載のエレクトロルミネッセンス光源。
【請求項６】
前記第１の材料の屈折率がｎ１であり、第２の材料の屈折率がｎ２であり、屈折率ｎ１とｎ２の間の差が０．１ないし２．５である、
請求項５に記載のエレクトロルミネッセンス光源。
【請求項７】
前記第１の材料が前記第２の材料内で、実質的には多数の構造要素の周期的な構造で、前記第１の光取り出し層の表面に平行な平面に設けられ、
前記構造要素が球形、円筒状、ピラミッド型、立方体又は長円体の本体を含む空間体として設計される、
請求項５又は６に記載のエレクトロルミネッセンス光源。
【請求項８】
前記構造要素が、光伝播方向の高さＨ１を有し、前記第１の光取り出し層の厚さＨ３が、Ｈ１からＨ１の１０倍の値の間の値である、
請求項７に記載するエレクトロルミネッセンス光源。
【請求項９】
前記構造要素の合計数Ｎで、２つの隣接する前記構造要素の間の間隔aiが、平均間隔a0から逸脱でき、かつ間隔aiの分布n(ai)が以下の式に適合する、
（式中、０＜ｓ＜１０．４である）
【数１】
2008541368.tif 000001
請求項７または８に記載のエレクトロルミネッセンス光源。
【請求項１０】
前記第２の光取り出し層の表面構造が、四角錐構造、三角錐構造、六角錐構造、長円体のドーム構造又は錐体構造を含む、
請求項１ないし９のいずれか１項に記載のエレクトロルミネッセンス光源。
【請求項１１】
光の伝播の方向における前記第２の光取り出し層の表面構造の高さＨｒが、10μｍより大きく、かつ前記基板の厚さの５倍より小さい、
請求項１ないし１０のいずれか１項に記載のエレクトロルミネッセンス光源。
【請求項１２】
前記第２の光取り出し層が、前記基板の屈折率以上、かつ３未満の屈折率を有する、
請求項１ないし１１のいずれか１項に記載するエレクトロルミネッセンス光源。